(57)【要約】　【課題】　この発明は簡易な操作で着脱できる便座を提供することを課題とする。することで、可能とする。　【解決手段】　便座の一端と、便器の該便座の一端に対応する位置にそれぞれ支軸と、該支軸を支持する支持部を形成してなる軸支座を設け、便座を回動自在に支持するとともに、便座を便器に対して着脱自在に設ける。【選択図】　図２　　　
2004113801.tif 000002
【特許請求の範囲】
【請求項１】
便座の一端と、便器の該便座の一端に対応する位置にそれぞれ支軸と、該支軸を支持する支持部を形成してなる軸支座を設け、便座を回動自在に支持するとともに、便座を便器に対して着脱自在に設けることを特徴とする便座。
【請求項２】
前記支持部は、該便座の支軸を支持する軸孔を有し、中空に形成され、該支軸は該支持部の軸孔に嵌挿される２箇所の凹状部を形成し、且つ該支軸の凹状部を嵌挿する開口を所定の角度で傾斜させて形成することを特徴とする請求項１に記載の便座。
【請求項３】
前記支軸を便座の一端に設け、該軸支座を便器上の該便座の支軸に対応する位置に設けることを特徴とする請求項１に記載の便座。
【請求項４】
前記支持部を便座の一端に設け、該支軸を便器上の該支持部に対応する位置に設けることを特徴とする請求項１に記載の便座。
【請求項５】
前記支軸に形成する凹状部は、断面が矩形を呈し、該支持部の軸孔の内壁に当接する面を円弧状に形成することを特徴とする請求項２に記載の便座。
【請求項６】
前記支軸の凹状部は、断面が円形を呈し、該支持部の軸孔がガイド溝状を呈し、且つ湾曲して形成するとともに、該ガイド溝状に形成する軸孔の内径を該支軸の凹状部の直径と略同一に形成することを特徴とする請求項２に記載の便座。
【請求項７】
前記支持部に形成する開口部は、対向する内壁の両端縁部に面取り部を形成することを特徴とする請求項５に記載の便座。
【請求項８】
前記便座の一端に、円柱部が一方の側面に形成される軸支突起部を形成し、該便器には該軸支突起部に対応する中空の支持部を一体に形成した軸支座を設け、該軸支突起部の円柱部を該支持部に嵌挿して該便座を回動自在に支持することを特徴とする請求項１に記載の便座。
【請求項９】
前記軸支座には、該支持部の側面に、該軸支突起部の他方の側面に当接して該軸支突起部が横方向に外れることを防ぐ係合突起を一体に形成することを特徴とする請求項８に記載の便座。
【請求項１０】
前記便座は、適宜な位置に柔軟パッドが設けられることを特徴とする請求項１記載の便座。
【請求項１１】
前記柔軟パッドは合成樹脂（thermal　plastic　rubber、TPR）などの発泡材によってなることを特徴とする請求項１０記載の便座。
【請求項１２】
便器の蓋の一端と、前記便器の蓋の一端に対応する位置にそれぞれ支軸と、該支軸を支持する支持部を形成してなる軸支座を設け、便器の蓋を回動自在に支持するとともに、便器の蓋を便器に対して着脱自在に設けることを特徴とする請求項１に記載の便座。
【発明の詳細な説明】
【技術分野】
【０００１】
　この発明は、便座に関し、特に簡易な操作で随時着脱できる便座に関する。
【背景技術】
【０００２】
　社会の進歩に伴ない、水洗トイレも普及し、過疎地の農村や、山地などの遠隔地でも使用されるようになってきた。但し、便器の使用について、例えば、使用者の個人の問題で、便座を上げずに排尿するなどのマナーの問題が取り上げられることがある。よって、使用上便利で、かつマナーの問題も考慮した数々の便器が開発され、特許製品として販売されている。
【０００３】
便座を自動的に上げる技術については、弾性体の付勢力を利用する方式、電動式などが採用されている。本発明者は、平衡する水流を利用して便座を自動的に上げる技術を開発し、アメリカ合衆国に特許出願をした。出願番号は０９／９８７，５０９号であって、すでに特許査定を受けた。同出願は、台湾においても出願し、公告された。公告番号は第４９４７４７４号である。この技術は、弾性体の付勢力を利用する方式、もしくは電動式に比して優れてはいるが、但し、便器全体の構造と、使用状況などを考慮した場合、さらに改善の余地がある。
【０００４】
従来の構造は便器に軸支座を設け、便座と便器の蓋を回動自在に支持する。このため、便座を随時交換することが難しく、汚れが溜まりやすい。しかも便器を洗浄する場合も完全に洗浄することが難しい。従って、仮に便器が公衆の共用に供するものであった場合、皮膚の接触により間接的に病気が伝染する恐れもある。よって、例えばホテルなどにおいて、ベッドのシーツや枕カバーを交換するように便座を随時交換することができれば、使用者にとって衛生的であり、安心して便器を使用することができる。
【０００５】
　図１に、便座と便器の蓋を回動自在に支持する従来の構造による便器を開示する。図面によれば、便座（９０）は、一端に軸支孔を有する２つの軸支部（９２）を一体に形成する。また、便器には両端縁部に該便座（９０）の軸支部（９２）に対応する支持部（８２）を一体に形成した軸支座（８０）を設ける。該軸支座（８０）の支持部（８２）には、内径が便座（９０）の軸支部（９２）の軸支孔と同一の軸支孔を形成し、別途支軸（７０）を該軸支座（８０）の軸支孔と、該便座（９０）の軸支孔に挿通させて、便座（９０）を軸支座（８０）に回動自在に支持する。
【０００６】
　上述の構造は、便座が回動自在に設けられるため、必要に応じて上下させることができる。但し、便座を取り外すことが容易でなく、随時必要に応じて取り外し、交換したり、洗浄したりすることができない。
【発明の開示】
【発明が解決しようとする課題】
【０００７】
　この発明は簡易な操作で着脱できる便座を提供することを課題とする。
【課題を解決するための手段】
【０００８】
そこで本発明者は、従来の技術に鑑み鋭意研究を重ねた結果、便座の一端と、便器の該便座の一端に対応する位置にそれぞれ支軸と、該支軸を支持する支持部を形成してなる軸支座を設け、便座を回動自在に支持するとともに、便座を便器に対して着脱自在に設ける便座の構造によって課題を解決できる点に着眼し、係る知見に基づき本発明を完成させた。
以下、この発明について具体的に説明する。
【０００９】
　請求項１に記載する便座は、便座の一端と、便器の該便座の一端に対応する位置にそれぞれ支軸と、該支軸を支持する支持部を形成してなる軸支座を設け、便座を回動自在に支持するとともに、便座を便器に対して着脱自在に設けることを特徴とする便座。
【００１０】
　請求項２に記載する便座は、請求項１における支持部が、該便座の支軸を支持する軸孔を有し、中空に形成され、該支軸は該支持部の軸孔に嵌挿される２箇所の凹状部を形成し、且つ該支軸の凹状部を嵌挿する開口を所定の角度で傾斜させて形成する。
【００１１】
　請求項３に記載する便座は、請求項１における支軸を便座の一端に設け、該軸支座を便器上の該便座の支軸に対応する位置に設ける。
【００１２】
請求項４に記載する便座は、請求項１における支持部を便座の一端に設け、該支軸を便器上の該支持部に対応する位置に設ける。
【００１３】
請求項５に記載する便座は、請求項２における支軸に形成する凹状部は、断面が矩形を呈し、該支持部の軸孔の内壁に当接する面を円弧状に形成する。
【００１４】
請求項６に記載する便座は、請求項２における支軸の凹状部は、断面が円形を呈し、該支持部の軸孔がガイド溝状を呈し、且つ湾曲して形成するとともに、該ガイド溝状に形成する軸孔の内径を該支軸の凹状部の直径と略同一に形成する。
【００１５】
請求項７に記載する便座は、請求項５における支持部に形成する開口部は、対向する内壁の両端縁部に面取り部を形成する。
【００１６】
請求項８に記載する便座は、請求項１における便座の一端に、円柱部が一方の側面に形成される軸支突起部を形成し、該便器には該軸支突起部に対応する中空の支持部を一体に形成した軸支座を設け、該軸支突起部の円柱部を該支持部に嵌挿して該便座を回動自在に支持する。
【００１７】
請求項９に記載する便座は、請求項８における軸支座に、該支持部の側面に該軸支突起部の他方の側面に当接して該軸支突起部が横方向に外れることを防ぐ係合突起を一体に形成する。
【００１８】
請求項１０に記載する便座は、請求項１における便座が、適宜な位置に柔軟パッドが設けられる。
【００１９】
請求項１１記載する便座は、請求項１０における柔軟パッドが合成樹脂（thermal　plastic　rubber、TPR）などの発泡材によってなる。
【００２０】
請求項１２記載するの便座は、請求項１における便器の蓋の一端と、前記便器の蓋の一端に対応する位置にそれぞれ支軸と、該支軸を支持する支持部を形成してなる軸支座を設け、便器の蓋を回動自在に支持するとともに、便器の蓋を便器に対して着脱自在に設ける。
【発明の効果】
【００２１】
　この発明による便座は、簡易な操作で着脱することができ、便座を外した状態で便座、もしくは便器を清潔に洗浄することができ、便器の衛生を保つ効果を有する。
【発明を実施するための最良の形態】
【００２２】
　この発明は、簡易な操作で随時着脱できる便座を提供するものであって、便座の一端と、便器の該便座の一端に対応する位置にそれぞれ支軸と、該支軸を支持する支持部を形成してなる軸支座を設け、便座を回動自在に支持するとともに、便座を便器に対して着脱自在に設ける。
係る構成の便座について、その構造と特徴を詳述するために具体的な実施例を挙げ、以下に説明する。
【実施例】
【００２３】
　この発明による便座の支持構造を図２、図２Ａに開示する。図面によれば、便座（１０）は、一端に支軸（３０）を一体に形成してなり、便器には、軸孔（４２）が形成され、該便座（１０）の支軸（３０）を支持する中空の支持部（４０）を一体に形成した軸支座（２０）を設ける。
【００２４】
便座（１０）の該支軸（３０）には、外径を狭くした凹状部（reduced　portion）（３４）を２箇所形成し、該軸支座（２０）の支持部（４０）は、該支軸（３０）の凹状部（３４）に対応する位置に設けられる。凹状部（３４）は、図２Ａに開示するように、支持部（４０）の軸孔内に回動自在に挿設される当接部（３４４）であって、該当接部（３４４）は、断面が矩形を呈し、且つ支持部（４０）の軸孔（４２）の内壁に接する両端面を円弧状の当接面（３４２）とする。また、支持部（４０）は、傾斜した開口部（４４）を形成する。該開口部（４４）の幅は支軸（３０）の当接部（３４４）と略同一にするとともに、支持部（４０）の開口部（４４）の対向する内壁の両端縁部には面取り部（４４２）を形成する。よって、便座（１０）の支軸（３０）の当接部（３４４）が容易に軸支座（２０）の支持部（４０）の軸孔に進入し、便座（１０）を軸支座（２０）に回動自在に支持することができるとともに、便座（１０）を開閉させる動作の過程において、支軸（３０）が支持部（４０）から外れることがない。また、便座（１０）を取り外す場合は、支軸（３０）の当接部（３４４）の角度を調整して支持座（４０）の開口部（４４）から引き抜くだけで、容易に取り外すことができる。
【００２５】
　上述の支軸（３０）と支持部（４０）は、図３に開示するように位置関係を逆にしてもよい。即ち、便座（１０）の一端に支持部（４０）を設け、軸支座（２０）に支軸（３０）を設けて、便座（１０）を軸支座（２０）に回動自在に支持しても、同様の効果が得られる。
【００２６】
　また、便座（１０）と、軸支座（２０）との連結は、図４に開示する形態にしても同様の効果が得られる。即ち、便座（１０）の一端には、円柱部が一方の側面に形成される軸支突起部（１２）を２箇所に形成する。また便器は該軸支突起部（１２）に対応する中空の支持部（４０）を一体に形成した軸支座（２０）を設ける。また、軸支座（２０）には支持部（４０）の側面に係合突起（２２）を一体に形成する。便座（１０）を軸支座（２０）に取り付ける場合は、軸支突起部（１２）の一方の側面に形成される円柱部を横方向から支持部（４０）の中空部に嵌挿する。この場合、軸支突起部（１２）の他方の側面に軸支座（２０）の係合突起（２２）が当接し、軸支突起部（１２）が横方向に外れることを防ぐとともに、便座（１０）が軸支座（２０）に回動自在に支持される。
【００２７】
　以上の便座（１０）と軸支座（２０）との連結構造は、当然の事ながら便器の蓋（５０）に応用することができる。図５に開示するように、便器の蓋（５０）の一端に支持部（４０）を一体に形成し、軸支座（２０）には便器の蓋（５０）の支持部（４０）に対応する支軸（３０）を設ける。また、支持部（４０）と支軸（３０）の位置関係を逆にしても同様の効果が得られる（図示しない）。
【００２８】
　さらに、図６Ａから図６Ｃに開示するように、支軸（３０）の凹状部（３４）、すなわち軸支座（２０）の支持部（４０）に接触する当接部（３４４）と、軸支座（２０）の支持部（４０）の形状を変化させてもよい。図６Ａと図６Ｂに開示する当接部（３４４）は、当接部（３４４）が略半円状に形成され、図６Ａは半円の水平面が下向きであって、図６Ｂは上向きである。図６Ｃは当接部（３４４）を円柱状に形成する。また、支持部（４０）についても図６Ａ、図６Ｂに開示するように、開口部（４４）の形状を変化させるか、もしくは図６Ｃに開示するように、支持部（４０）自体の形状を変化させ、やや湾曲したガイド溝を形成するようにしてもよい。この場合、ガイド溝の内径は円柱状に形成される当接部（３４４）の直径と略同一にする。但し、いずれの態様にしても、便座（１０）を回動自在に支持し、且つ容易に着脱できるものであれば特に制限はしない。
【００２９】
　また、図７に開示するように、便座（１０）は使用者が腰をかける位置か、或いは便座（１０）全体に合成樹脂（thermal　plastic　rubber、TPR）などの発泡材から形成する柔軟パッド（１４）を設けてもよい。この場合、使用時に、湿気で臀部が滑ることなく、また冬期など気温の低い環境で使用する場合、便座（１０）が冷えて不快感を与えることがなくなる。
【００３０】
　以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００３１】
【図１】従来の便器を示した斜視図である。
【図２】この発明による便座の連結構造を示した説明図である。
【図２Ａ】図２に開示する連結構造を示した断面図である。
【図３】この発明による便座の他の態様による連結構造を示した説明図である。
【図４】この発明による便座のその他の態様による連結構造を示した説明図である。
【図５】便器の蓋と便座とを便器に着脱自在に設ける連結構造を示した説明図である。
【図６Ａ】この発明における便座の連結構造の他の態様を示した断面図である。
【図６Ｂ】この発明における便座の連結構造のその他の態様を示した断面図である。
【図６Ｃ】この発明における便座の連結構造の別の態様を示した断面図である。
【図７】この発明における便座であって、柔軟パッドを設けた例を示した斜視図である。
【符号の説明】
【００３２】
１０  便座
１２  軸支突起部
１４  柔軟パッド
２０  軸支座
２２  係合突起
３０  支軸
３４  凹状部
３４２ 当接面
３４４ 当接部
４０  支持部
４２  軸孔
４４  開口部
４４２ 面取り部
５０  便器の蓋
７０  支軸
８０  軸支座
８２  支持部
９０  便座
９２  軸支部
【図１】
2004113801.tif 000003
【図２】
2004113801.tif 000004
【図２Ａ】
2004113801.tif 000005
【図３】
2004113801.tif 000006
【図４】
2004113801.tif 000007
【図５】
2004113801.tif 000008
【図６Ａ】
2004113801.tif 000009
【図６Ｂ】
2004113801.tif 000010
【図６Ｃ】
2004113801.tif 000011
【図７】
2004113801.tif 000012